(57)【要約】【課題】回転脚に自動自在に取着せしめたホルダー部に小径（φ１０）のペンシルから大径（φ１６）の建築用マーカーの何れのものでも一本のコンパスで対応して使用でき、本材からコンクリート等に円を描く作業を能率的に進行できる。【解決手段】回転脚の所定個所に、一端部が回動自在に取着して、ペンシル及び建築用マーカーが単独で嵌挿可能な左側壁面部と右側壁面部を有するホルダー部を形成し、ホルダー部の一端部と対向する他端部に、平板状上面部の左側縁部と右側縁部に下方に折曲垂下するホルダー部を構成する左側壁面部と右側壁面部の幅員より若干大きい幅員を有し、平行状の左支持部と右支持部とを形成する。【選択図】    図１
0003130325.tif 000002
【実用新案登録請求の範囲】
【請求項１】
中心脚及び回転脚の頭部を接続機構を介して展開せしめる建築等用コンパスにおいて、
前記回転脚の所定個所に、一端部が回動自在に取着して、且ペンシル及び建築用マーカーが単独で嵌挿可能な左側壁面部と右側壁面部を有するホルダー部を形成し、前記ホルダー部の一端部と対向する他端部に、平板状上面部の左側縁部と右側縁部に下方に折曲垂下する前記ホルダー部を構成する左側壁面部と右側壁面部の幅員より若干大きい幅員を有し、且平行状の左支持部と右支持部とを形成すると共に、前記平板状上面部の前方端部に下方に折曲する前方支持部と、前記平板状上面部の後方端部に下方に折曲する孔付き後方支持部をもって構成するガイド部を形成し、前記ホルダー部の他端部に貫通孔を形成し、前記ガイドの前方支持部を前記ホルダー部の嵌挿部内に嵌挿し、前記ガイド部の後方支持部と前記ホルダー部の他端部との間にスプリングを介在し、頭付きボルトを前記後方支持部の孔から前記スプリング内へ、且前記ホルダー部の他端部の貫通孔を貫通孔せしめて前記頭付きボルトの先端部を前記前方支持部に当接せしめることを特徴とする建築等用コンパス。
【請求項２】
前記ホルダー部を構成する左側壁部と右側壁面部の幅員が、一端部寄りの部位を狭く、他端部寄りの部位を広く形成せしめることを特徴とする請求項１記載の建築等用コンパス。
【請求項３】
前記ホルダー部の他端部に、前記端部と接続する補助ガイド部が、前記補助ガイド部を構成する基板部の左右両端部を夫々延設し、且前記ガイド部の左支持部と右支持部との間に介在し、前記ガイド部のスライドをスムーズにする左側案内部と右側案内部とをもって形成することを特徴とする請求項１又は同２記載の建築等用コンパス。
【請求項４】
前記中心脚と回転脚の頭部に接続部を介在し、且取手付きスプリングをもって前記両脚を展開せしめ、前記接続部より下方部の回転脚に第１固定ピンを、前記接続部より下方部の中心脚に貫通孔を有する第２固定ピンを夫々固着し、ガイドナットを螺入せしめた頭部付きボルトを前記第２固定ピンから貫通し、端部を第１固定ピンに接続せしめることを特徴とする請求項１又は同２又は同３記載の建築等用コンパス。
【考案の詳細な説明】
【技術分野】
【０００１】
本考案は、一本のコンパスでペンシル及び建築用マーカーが併用できる建築等用コンパスの分野に関するものである。
【背景技術】
【０００２】
従来、コンパスの開脚装置として、登録第３０３６９２３号の登録実用新案公報が開示されているが、前記コンパスを構成する鉛筆付き脚は、鉛筆のみしか嵌挿できない構造である。
【０００３】
従って、前記公報の考案は、一本のコンパスで前記鉛筆と建築用マーカーとを別個に嵌挿し使用することができない構成である。
【０００４】
【特許文献１】登録第３０３６９２３号実用新案公報
【考案の開示】
【考案が解決しようとする課題】
【０００５】
しかるに、本考案は、回転脚に自動自在に取着せしめたホルダー部に小径（φ１０）のペンシルから大径（φ１６）の建築用マーカーの何れのものでも一本のコンパスで対応して使用ができるようにした。
【０００６】
そのため、本材からコンクリート等に円を描く作業を能率的に進行させることができるようにした。
【０００７】
さらに、本考案のコンパスは、従来前記マーカーを使用してコンクリート等に円を描くのに、紐を使用して円描き作業をしていたのを、マーカー専用のコンパスを使用することなく、一本のコンパスのみで円描き作業ができるようにして、前記マーカーによる円描き作業をスムーズに行うことができると共に、作業時間を著しく短縮せしめることができた。
【課題を解決するための手段】
【０００８】
課題を解決するための手段として、請求項１記載の考案は、中心脚及び回転脚の頭部を接続機構を介して展開せしめる建築等用コンパスにおいて、
前記回転脚の所定個所に、一端部が回動自在に取着して、且ペンシル及び建築用マーカーが単独で嵌挿可能な左側壁面部と右側壁面部を有するホルダー部を形成し、前記ホルダー部の一端部と対向する他端部に、平板状上面部の左側縁部と右側縁部に下方に折曲垂下する前記ホルダー部を構成する左側壁面部と右側壁面部の幅員より若干大きい幅員を有し、且平行状の左支持部と右支持部とを形成すると共に、前記平板状上面部の前方端部に下方に折曲する前方支持部と、前記平板状上面部の後方端部に下方に折曲する孔付き後方支持部をもって構成するガイド部を形成し、前記ホルダー部の他端部に貫通孔を形成し、前記ガイド部の前方支持部を前記ホルダー部の嵌挿部内に嵌挿し、前記ガイド部の後方支持部と前記ホルダー部の他端部との間にスプリングを介在し、頭付きボルトを前記後方支持部の孔から前記スプリング内へ、且前記ホルダー部の他端部の貫通孔を貫通孔せしめて前記頭付きボルトの先端部を前記前方支持部に当接せしめることを特徴とする建築等用コンパスである。
【０００９】
課題を解決するための手段として、請求項２記載の考案は、前記ホルダー部を構成する左側壁面部と右側壁面部の幅員が、一端部寄りの部位を狭く、他端部寄りの部位を広く形成せしめることを特徴とする請求項１記載の建築等用コンパスである。
【００１０】
課題を解決するための手段として、請求項３記載の考案は、前記ホルダー部の他端部に、前記端部と接続する補助ガイド部が、前記補助ガイド部を構成する基板部の左右両端部を夫々延設し、且前記ガイド部の左支持部と右支持部との間に介在し、前記ガイド部のスライドをスムーズにする左側案内部と右側案内部とをもって形成することを特徴とする請求項１又は同２記載の建築等用コンパスである。
【００１１】
課題を解決するための手段として、請求項４記載の考案は、前記中心脚と回転脚の頭部に接続部を介在し、且取手付きスプリングをもって前記両脚を展開せしめ、前記接続部より下方部の回転脚に第１固定ピンを、前記接続部より下方部の中心脚に貫通孔を有する第２固定ピンを夫々固着し、ガイドナットを螺入せしめた頭部付きボルトを前記第２固定ピンから貫通し、端部を第１固定ピンに接続せしめることを特徴とする請求項１又は同２又は同３記載の建築等用コンパスである。
【考案の効果】
【００１２】
請求項１記載の電動丸鋸用定規は、中心脚及び回転脚の頭部を接続機構を介して展開せしめる建築等用コンパスにおいて、前記回転脚の所定個所に、一端部が回動自在に取着して、且ペンシル及び建築用マーカーが単独で嵌挿可能な左側壁面部と右側壁面部を有するホルダー部を形成し、前記ホルダー部の一端部と対向する他端部に、平板状上面部の左側縁部と右側縁部に下方に折曲垂下する前記ホルダー部を構成する左側壁面部と右側壁面部の幅員より若干大きい幅員を有し、且平行状の左支持部と右支持部とを形成すると共に、前記平板状上面部の前方端部に下方に折曲する前方支持部と、前記平板状上面部の後方端部に下方に折曲する孔付き後方支持部をもって構成するガイド部を形成し、前記ホルダー部の他端部に貫通孔を形成し、前記ガイド部の前方支持部を前記ホルダー部の嵌挿部内に嵌挿し、前記ガイド部の後方支持部と前記ホルダー部の他端部との間にスプリングを介在し、頭付きボルトを前記後方支持部の孔から前記スプリング内へ、且前記ホルダー部の他端部の貫通孔を貫通孔せしめて前記頭付きボルトの先端部を前記前方支持部に当接せしめる建築等用コンパスなので、一本のコンパスで小径のペンシルと大径の建築用マーカーをも併用できる利点を有している。
【００１３】
そのため、本考案のコンパスは、コンクリート等への円描き作業が簡単にして、且確実にしかも迅速に作業処理ができる利点を有している。
【００１４】
さらに、本考案は、頭部付きボルトを螺入すると、前記ボルトの先端部がガイド分度板の前方支持部を押圧し前進せしめ、最も長くホルダー部内に侵入したときは、小径のペンシルを押圧し離脱させない。
【００１５】
そのため、小径のペンシルを介して、所定のコンパス作業ができる。
【００１６】
他方、前記とは別個に前記ボルトを螺戻すると、前記ホルダー部内の前方支持部が前記ホルダー部の他端部寄りになり、大径のマーカーを嵌挿させて、且前記頭部付きボルトの押圧を調整することによって、前記マーカーを嵌挿させて、且前記頭部付きボルトの押圧を調整することによって、前記マーカーを押圧支持することができる利点を有している。
【００１７】
請求項２記載の考案は、前記ホルダー部を構成する左側壁面部と右側壁面部の幅員が、一端部寄りの部位を狭く、他端部寄りの部位を広く形成せしめる建築等用コンパスなので、前記請求項１記載の考案と同じ効果を有している。
【００１８】
請求項３記載の考案は、前記ホルダー部の他端部に、前記端部と接続する補助ガイド部が、前記補助ガイド部を構成する基板部の左右両端部を夫々延設し、且前記ガイド部の左支持部と右支持部との間に介在し、前記ガイド部のスライドをスムーズにする左側案内部と右側案内部とをもって形成する建築等用コンパスなので、前記請求項１又は同２記載の考案と同じ効果を有している。
【００１９】
請求項４記載の考案は、前記中心脚と回転脚の頭部に接続部を介在し、且取手付きスプリングをもって前記両脚を展開せしめ、前記接続部より下方部の回転脚に第１固定ピンを、前記接続部より下方部の中心脚に貫通孔を有する第２固定ピンを夫々固着し、ガイドナットを螺入せしめた頭部付きボルトを前記第２固定ピンから貫通し、端部を第１固定ピンに接続せしめる建築等用コンパスなので、前記請求項１又は同２又は同３記載の考案と同じ効果を有している。
【考案を実施するための最良の形態】
【００２０】
本考案の請求項１〜４記載の考案に関する実施の形態は、共通しているので一括して以下のとおり説明する。
【００２１】
図面において、Ａは本考案の建築等用コンパスであり、以下の構成からなっている。
【００２２】
１は中心脚、２は回転脚である。３は前記中心脚１の頭部、４は回転脚２の頭部である。
【００２３】
ｐは本考案のコンパスＡにおいて使用するペンシル、ｍは建築用マーカーである。
【００２４】
５は前記回転脚２の中央部より稍下方部に、一端部６が回動自在に取着して、前記ペンシルｐ及び前記マーカーｍが単独で嵌挿可能な形状のホルダー部である。
【００２５】
さらに、前記ホルダー部５は、内側に前記ペンシルｐ及びマーカーｍが嵌挿可能な嵌挿部１１を確保するために、所定の高さの左側壁面部７と所定の高さの右側壁面部８とをもって囲み、且その幅員が、一端部６寄りの部位を狭く、他端部１０寄りの部位を広く形成する。
【００２６】
前記の形状を設けることによって、幅員が狭い方は、ペンシルｐを、幅員が広い方には、マーカーｍを夫々嵌挿せしめることができる。
【００２７】
従って、前記マーカーｍは、幅員が狭い方には、嵌挿できない。
【００２８】
そして前記嵌挿部１１は、前記マーカーｍを嵌挿する嵌挿部分と、ペンシルｐを嵌挿する嵌挿部位とは連続しており、仕切られていない。
【００２９】
さらに、本考案は、前記ホルダー部５の嵌挿部１１に嵌挿せしめるペンシルｐとマーカーｍを確実に固定するのに必要な構成部材の一つがガイド部１２である。このガイド部１２は以下の構成からなる。
【００３０】
即ち、前記ガイド部１２は、前記ホルダー部５の一端部６と、一端部６と対向する他端部１０に、平板状上面部１３の左側縁部１４と右側縁部１５の下方に折曲垂下せしめて左支持部１６と右支持部１７とを形成する。
【００３１】
そして前記左支持部１６と右支持部１７は、前記ホルダー部５の左側壁面部７と右側壁面部８の幅員より若干大きな幅員とし、且前記両壁面部７、８と平行状にて形成する。
【００３２】
さらに前記平板状上面部１３の前方端部１８に、下方に折曲する前方支持部１９を形成する。
【００３３】
そして前記平板状上面部１３の後方端部２０に下方に折曲する孔２１付き後方支持部２２を形成する。
【００３４】
前記ガイド部１２の前方支持脚１９は、前記ホルダー部５の嵌挿部１１内に嵌挿し、後方支持部２２と前記ホルダー部５の他端部１０との間に、スプリング２３を介在する。
【００３５】
２４は頭部２５付きボルトである。
【００３６】
前記ボルト２４を前記後方支持部２２の孔２１から前記スプリング２３内へ、且前記ホルダー部５の他端部１０に形成の貫通孔１０ａへ貫通する。
【００３７】
そのとき、前記頭部２５付きボルト２４の先端部が前記前方支持部１９に当接する。
【００３８】
そして前記ボルト２４の頭部２５を右回転すると前記ボルト２４が前進し、左回転をすれば前記ボルト２４が後進する。前記のボルト２４の移動によって、マーカーｍもしくはペンシルｐが固定される。
【００３９】
前記ボルト２４が前進すると、ペンシルｐが嵌挿部１１より離脱せずに確実に固定されるし、他方前記ボルト２４を後進すれば嵌挿部１１に嵌挿中のマーカーｍが固定される。
【００４０】
さらに本考案のコンパスは、前記ガイド部１２の進行をスムーズにする補助ガイド部２６を形成する。前記ガイド部２６の構成は以下のとおりである。
【００４１】
この補助ガイド部２６は、前記ホルダー部５の他端部１０と接着するボルト２４を貫通する孔付き基板部２７の左側端部と右側端部を折曲して、左側案内部２８と右側案内部２９を形成する。
【００４２】
さらに前記左側案内部２８と右側案内部２９との幅員は、前記ガイド部１２の左支持部１６と右支持部１７との幅員より若干狭めて形成する。
【００４３】
前記の構成からなる補助ガイド部２６は、図面図示のとおり、基板部２７がホルダー部５の他端部１０に接着し、且左右支持部１６、１７が前記ホルダー部５の左右両側壁面部７、８の外側方に位置し固定状態となっている。
【００４４】
従って、前記ボルト２４の頭部２５を回転すると、回転脚２の方向にボルト２４が前進し、スプリング２３を押圧し、ボルト２４の先端部が前方支持部１９を前進せしめ、嵌挿部１１内のマーカーｍもしくはペンシルｐを固定する。
【００４５】
前記マーカーｍもしくはペンシルｐを固定するホルダー部５とガイド部１２と、補助ガイド部２６と、ボルト２４は、前記回転脚２に対し、緊締具３０を基軸にして回動する。
【００４６】
３１は中心脚１と回転脚２の頭部３、４に介在せしめた接続部である。さらに両脚１、２の頭部には、取手３３付きスプリング３２を取着する。
【００４７】
３４は前記接続部３１より下方部の回転脚２に固着第１固定ピンである。
【００４８】
そして前記中心脚１にも、貫通孔を有する第２固定ピン３５を固着する。
【００４９】
さらにガイドナット３６を螺入の頭部３７付きボルト３８を、前記第２固定ピン３５から貫通し、第１固定ピン３４に接続する。
【００５０】
さらに本考案は、マーカーｍを使用するときは、嵌挿部１１の径が大きい方に前記マーカーｍを挿入し、ボルト２４の頭部２５を回転し固定すればよいし、他方のペンシルｐの場合は、嵌挿部１１の径が小さい方に挿入し、前記頭部２５を回転しボルト２４を前進させればよい。
【００５１】
上記のように本考案は、１本のコンパスで大径のマーカーｍと、小径のペンシルｐとを入れ替えることによって使用できる利便がある。
【図面の簡単な説明】
【００５２】
【図１】本考案建築等用コンパスの正面図である。
【００５３】
【図２】同コンパスの左側面図である。
【００５４】
【図３】同コンパスの右側面図である。
【００５５】
【図４】同コンパスの平面図である。
【００５６】
【図５】同コンパスの平面図である。
【００５７】
【図６】同コンパスの要部の拡大斜視図である。
【００５８】
【図７】図６の一部切欠拡大斜視図である。
【００５９】
【図８】同コンパスの要部の拡大斜視図である。
【符号の説明】
【００６０】
Ａ        コンパス
ｍ        マーカー
ｐ        ペンシル
１        中心脚
２        回転脚
３        頭部
４        頭部
５        ホルダー部
６        一端部
７        左側壁面部
８        右側壁面部
１０      他端部
１０ａ    貫通孔
１１      嵌挿部
１２      ガイド部
１３      平板状上面部
１４      左側縁部
１５      右側縁部
１６      左支持部
１７      右支持部
１８      前方端部
１９      前方支持部
２０      後方端部
２１      孔
２２      後方支持部
２３      スプリング
２４      ボルト
２５      頭部
２６      補助ガイド部
２７      基板部
２８      左側案内部
２９      右側案内部
３０      緊締部
３１      接続部
３２      スプリング
３３      取手
３４      第１固定ピン
３５      第２固定ピン
３６      ガイドナット
３７      頭部
３８      ボルト
【図１】
0003130325.tif 000003
【図２】
0003130325.tif 000004
【図３】
0003130325.tif 000005
【図４】
0003130325.tif 000006
【図５】
0003130325.tif 000007
【図６】
0003130325.tif 000008
【図７】
0003130325.tif 000009
【図８】
0003130325.tif 000010